【事件の表示】
　特願２００４−３３４４１号「男性外部生殖器形成不全を処置するための生殖器外部装具」拒絶査定不服審判事件〔平成１６年１１月１８日出願公開、特開２００４−３２１７８０号〕について、次のとおり審決する。
【結　論】
　本件審判の請求は、成り立たない。
【理　由】
Ｉ．手続の経緯
　本願は、平成１６年２月１０日（パリ条約による優先権主張２００３年４月２８日、欧州特許庁）の出願であって、平成１８年６月２６日付けで拒絶査定がなされ、これに対し、平成１８年１０月２日に拒絶査定不服審判の請求がなされるとともに、同日付けで特許請求の範囲についての手続補正がなされたものである。 
 　 
II．平成１８年１０月２日付けの手続補正についての補正却下の決定 
 　 
［補正却下の決定の結論］ 
 　 
　平成１８年１０月２日付けの手続補正（以下、「本件補正」という。）を却下する。 
 　 
［理由］ 
 　 
１．補正後の本願発明 
　本件補正により、特許請求の範囲の請求項１は、次のように補正された。
 　 
「男性生殖器の形成不全を処置する装具であって、
該装具は、
　生殖器外部固定システム（１；１３）、
　内部保持システム（２；３；４；５；８）、
　組織伸展動力システム（５；６；７；８）、及び
　亀頭防御システム（１５）、
を有し、
　前記生殖器外部固定システムは、下部要素（１）及び上部要素（１３）を備え、
　前記下部要素（１）は、該下部要素（１）の傾斜領域が前記男性生殖器に適合するように使用者の恥骨領域上に配置される傾斜基部を有し、
　該下部要素（１）には、二つの円形要素（２）が当該装具の両側に配置されており、
　該円形部品（２）のそれぞれは、管状セット（３；４；５；７）に取り付けられており、かつ、前記生殖器外部固定システム（１；１３）の前記内部固定システム（２；３；４；５；８）を形成しており、
　前記内部固定システム（２；３；４；５；８）は前記管状セット（３；４；５；８）の端部部品（８）に伸縮可能に導入された第２要素（９；１０；１１；１２）を有しており、かつ、
　前記管状セット（３；４；５；８）の内部に前記動力システム（５；６；７；８）が挿入されており、
　前記男性生殖器固定システムの上部要素（１３）は、前記亀頭が当該装具に配置されている位置に存在しており、該上部要素（１３）の後部側に端部が固定されているシリコンリング（１４）により補助され、
　前記シリコンリング（１４）に前記亀頭防御システム（１５）が配置されて
おり、
　
前記亀頭防御システム（１５）は緩衝材及び牽引要素よりなり、
　
該亀頭防御システム（１５）はスリーブ管状から構成され、前記シリコンリング（１４）は該スリーブ管に沿って挿入され、
　
前記牽引要素はフレキシブル・フィンから構成される
 　 
２．補正の目的及び新規事項の追加の有無 
　本件補正は、補正前の請求項１に記載された、発明を特定するために必要な事項である「亀頭防御システム（１５）」について「亀頭防御システム（１５）は緩衝材及び牽引要素よりなり、該亀頭防御システム（１５）はスリーブ管状から構成され、前記シリコンリング（１４）は該スリーブ管に沿って挿入され、前記牽引要素はフレキシブル・フィンから構成される」との限定を付加するものであり、かつ、補正後の請求項１に記載された発明は、補正前の請求項１に記載された発明と、産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。 
　そして、本件補正は、新規事項を追加するものではない。 
 　 
３．独立特許要件 
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に違反しないか）について以下に検討する。 
 　 
３−１．引用例の記載事項 
（１）原査定の拒絶の理由に引用された、独国実用新案公開第２０２０３９２７号明細書（以下、「引用例１」という。）には、次の事項が図面とともに記載されている（訳文は、当審によるもの。）。 
　ａ．「Die Erfindung betrifft eine Vorrichtung zur dauerhaften Verlangerung langgestreckter Korperteile, insbesondere des Penis, die einen Stutzring, mindestens eine in dem Stutzring gelenkig befestigte, axial federnd gelagerte und graduell langenverstellbare Streckstange sowie ein am distalen Ende der Streckstange angebrachtes Befestigungsmittel umfasst. 」（１ページ７行〜１３行）  
　「本考案は、長く延びた体の部分、とりわけペニスの持続的伸長のための装置に関するもので、1つの支持リング、少なくとも1つの、支持リングにジョイントで固定された、軸方向にばねを有する、段階的に長さ調節できる伸長支柱および伸長支柱の末端に取り付けられた固定器具を擁する装置である。」 
　ｂ．「Wie aus der Zeichnung ersichtlich, umfasst die Vorrichtung einen zur Abstutzung am Korper des Benutzers vorgesehenen Stutzring 1, zwei an dessen Vorderseite parallel angeordnete und schwenkbar gelagerte Streckstangen 2, die graduell verlangerbar und axial federnd ausgebildet sind, sowie ein am distalen Ende der beiden Streckstangen 2 losbar gehaltenes Befestigungsmittel 3 zum Einspannen und Fixieren des Penis im Bereich der Glans. ・・・（中略）・・・Es genugt jedoch eine obere Begrenzungsplatte am Halteclip 15, um ein Herunterrutschen des Befesti gungsmittels 3 zu vermeiden. 」（５ページ１行〜７ページ２行） 
　「図からわかるように、装置は、利用者の体に支えるための支持リング1、その前面に平行に配置され、スウィングできるように置かれた、段階的に延長でき、軸方向にばねで形成されている2つの伸長支柱2、ならびに両支柱2の末端部に取り外せるように保持された、亀頭部分でペニスを挟み込み、固定するための固定器具3を擁している。支持リング1の前面に、互いに向き合っている2つのジョイント受け4が、ここで水平軸方向に回転できるジョイント5を受けるために、形成されている。支持リング1の背面は、平らな閉鎖平面を形成しており、そのアーチ状の前面への移行は、大きく丸みが付けられている。伸長支柱2は、ジョイント5と結合したねじ支柱6、ねじ支柱と内ねじで結合し、それゆえ軸方向に調節できる調節サック7、伸縮自在に調節サック7に配置され、伸長支柱2の末端にむかって、ばね圧力のかかっているばねサック8、ならびにひとつもしくは複数の延長支柱9で構成される。調節サック7の円周表面には、目盛7aがつけられており、これは、−調節サック7におけるばねサック8の位置に相応する−ばねサック8を介して生じる引っぱり力の大きさを示している。ねじ支柱6は、端部に、ねじ込みできる止め部品10を備えており、それによって、調節サック7を延ばした際に、まちがって、ねじ支柱6がから外れてしまうことがなくなる。ばねサック8は、のびた状態で、調節サック7の前面にねじ込まれている止め部品11によって固定され、閉鎖アダプター12によって閉鎖されており、このなかに、ばねサック8を伸長支柱2の末端に押し付ける圧縮ばね13が見られる。閉鎖アダプター12には、最後に、延長支柱9がねじ込みできる。実施例において2つの部品からなる固定器具3は、支え面の領域で凹面に形成され、基本的に曲がりに強い受け皿14からなり、端部にシリンダー状のはめ込み部品16をもつ保持クリップが側面に作られている。受け皿14の上辺は、受け皿の背面に向かって、曲げられている。縦方向にスリットのはいったシリンダー形状の、ばね状の側面15aを有する保持クリップ15をもって、受け皿14は側面から伸長支柱2に取り付けられ、縦方向の固定ははめ込み部品16によってなされる。受け皿１4に、スリット開口部17が形成されている。固定器具3の2つめの部品は、ゴム弾力のある締め付けエレメント18から構成され、これは、ペニスの形状にフィットするアーチ状の負担の小さい、大きく丸まった辺をもつ保持部品18a、受け皿14のスリット開口部17に締め付けバンド18bを固定するためにその表面に間隔をあけてつくられたスタッド18cを有する2つの締め付けバンド18b、および締め付けエレメント18の解放ならびに締め付け力の制限のための締め付けバンド18bと反対に向いている引きつまみ18dを有する。そのように形成された固定器具は、利用者によって、伸長支柱とは関係なく装着されうるので、負傷や痛みのある締め付けを排除される。さらに痛みのない固定は、負担の小さい、あらかじめ形が作られた、辺が丸まった保持部品１８aの形状によって支援される。他方、引きつまみ18dは、非常に大きな締め付け力が作用することを防止し、さらに、締め付けエレメント18のすばやく快適な解放を実現する。固定器具3の装着後、保持クリップ15は、側面から、あらかじめおかれた、体に支持リング1を介して支えられた伸長支柱2��固定される。シリンダー状のはめ込み部品16は、側面からの固定のための追加的保護を実現する。保持クリップ15の上部の制限プレートが、固定器具3が滑り落ちるのを防止するのに十分に機能する。」 
　
　ペニスの持続的伸長のための装置は、支持リング1を用いて利用者の体に支えられ、受け皿14を有する固定器具3を用いて、ペニスを挟み込み固定することからみて、「支持リング1」及び「受け皿14」は、「ペニス固定部材」を形成しているといえる。
  「ジョイント5」、「ねじ支柱6」、「調節サック7」、「ばねサック8」及び「閉鎖アダプター12」は、「ペニス固定部材」の「支持リング1」及び「受け皿14」の固定を作り出しており、「固定部材」を形成しているといえる。
  「ばねサック8」、「止め部品10」、「閉鎖アダプター12」及び「圧縮ばね13」は、ペニスを伸長させる伸長支柱2の末端にむかって、ばね圧力をかけており、「ペニス伸長部材」を形成しているといえる。
　「ねじ支柱6」、「調節サック7」、「ばねサック8」及び「閉鎖アダプター12」は、「管状部材」を形成し、ジョイント5が「ねじ支柱6」と結合していることから、ジョイント5は「管状部材」に取り付けられているといえる。
　上記ｂの、受け皿14を有する固定器具3に関する「亀頭部分でペニスを挟み込み、固定するための固定器具3」との記載から、受け皿14は亀頭が配置されている位置に存在しているといえる。
　上記ｂの「固定器具3の2つめの部品は、ゴム弾力のある締め付けエレメント18から構成され、これは、ペニスの形状にフィットするアーチ状の負担の小さい、大きく丸まった辺をもつ保持部品18a、受け皿14のスリット開口部17に締め付けバンド18bを固定するためにその表面に間隔をあけてつくられたスタッド18cを有する2つの締め付けバンド18b・・・・・を有する。」との記載から、受け皿14は、受け皿14の後部側に端部が固定されている締め付けエレメント18に補助されているといえる。 
　上記ｂの「ゴム弾力のある締め付けエレメント18」との記載から、締め付けエレメント18は緩衝材よりなるといえる。 
　
　これらの記載事項及び図示内容を総合し、本願補正発明の記載ぶりに則って整理すると、引用例１には、次の発明（以下、「引用発明」という。）が記載されている。 
 　 
「ペニスの持続的伸長のための装置であって、該装置は、
　ペニス固定部材（１；１４）、
　固定部材（５；６；７；８；１２）、
　ペニス伸長部材（８；１０；１２；１３）、及び
　締め付けエレメント（１８）、
を有し、
　前記ペニス固定部材は、支持リング（１）及び受け皿（１４）を備え、
　前記支持リング（１）は平らな平面からなる背面を有し、
　該支持リング（１）には、二つのジョイント（５）が当該装置の両側に配置されており、
　該ジョイント（５）のそれぞれは、管状部材（６；７；８；１２）に取り付けられており
、かつ、前記ペニス固定部材（１；１４）の前記固定部材（５；６；７；８；１２）を形成しており、
　前記固定部材（５；６；７；８；１２）は前記管状部材（６；７；８；１２）の閉鎖アダプター（１２）にねじ込まれた延長支柱（９）を有しており
、かつ、
　前記管状部材（６；７；８；１２）に前記ペニス伸長部材（８；１０；１２；１３）が含まれており、
　前記ペニス固定部材（１；１４）の受け皿（１４）は、亀頭が当該装置に配置されている位置に存在しており、該受け皿（１４）の後部側に端部が固定されている締め付けエレメント（１８）により補助され、
　前記締め付けエレメント（１８）は緩衝材よりなる装置。」 
　
（２）同じく原査定の拒絶の理由に引用された、国際公開第９７／２８７６４号（以下、「引用例２」という。）には、次の事項が図面とともに記載されている（訳文は、当審によるもの。）。 
　ｃ．「The invention relates to an apparatus for generating an elongation of the male penis comprising a support body adapted to abut the body in the area around the penis root and having an opening for insertion of the penis, one or more longitudinally adjustable connecting rods which can be secured to the support body in one end and provided with a holding member in the other end to retain the penis.」（１ページ３行〜７行）  
　「当発明は男性の陰茎の伸長を発生させる器具に関するものであり、器具は、陰茎の挿入のための開口部を有して陰茎の根元部の周辺で人体に接するように調整される支持体及び片方は支持体に固定され、もう一方には陰茎を保持するための捕捉部品が付けられた垂直方向の調節が可能な一つ以上の連接棒で構成されている。」
　ｄ．「In yet another preferred embodiment the hose-shaped body comprises a reinforced elastomer such as silicone having an inner reinforcement of one or several polyester or metal wires. As a result a flexible and at the same time inextensible body is obtained having a surface with large friction such that the penis can be subjected to a heavy traction without sliding out of the apparatus.」（２ページ１９行〜２３行）  
　「発明を具体化するにあたってもう一つ望ましいことは、シリコンのような強化エラストマー（ゴム状弾性物質）で出来たホース形状をした部分の内側に、一つ或いは幾つかのポリエステルまたは金属のワイヤーによる補強がなされていることである。その結果、陰茎が器具から抜け落ちることなしに強い牽引力を受けられるように、表面の摩擦力が大きくて、柔軟性がありながら同時に伸縮性のない部品が出来上がるのである。」
　ｅ．「Fig. 1 illustrates a stretching apparatus 1 according to the invention for generating an elongation of the penis. The apparatus 1 comprises a plate-shaped support body 2, a connecting rod 4, a holding member 5, a retaining means 6 and a guide member 7.
During use of the apparatus, the penis is inserted through the support body 2. The connecting rod 4 is mounted substantially perpendicular to the support body 2. A retaining means 6 is mounted on the uppermost end of the connecting rod 4. The retaining means 6 retains the hose-shaped holding member 5 secured around the penis 3 as a loop immediately below the penis head 3a. A guide member 7 is arranged on the connecting rod 4 below the retaining means 6. The guide member 7 serves to keep the two end parts of the holding member 5 together immediately above the penis head 3a in order to obtain a suitably sized loop such that the penis head 3a cannot slide out of the loop even at heavy tractive forces. A spring (not shown in Fig. 1) provides a force directed upwards on an upper rod portion 10 to which the retaining means 6 is secured.This force is transferred to the holding member 5 resulting in a traction of the penis.」（３ページ１５行〜４ページ６行）  
　「図1は、陰茎の伸長を発生させるための発明に基づく伸長用器具1を図示したものである。器具1は、板状の支持体2、連接棒4、捕捉部品5、保持部位6及びガイド板で構成されている。器具を使用するにあたって、陰茎は支持体2に通される。連接棒4は、支持体2に垂直にしっかりと取り付けられている。保持部位6は、連接棒4の最上端に取り付けられている。保持部位6は、亀頭3aのすぐ下で環状になって陰茎3に巻きついているホース形状の捕捉部品5を保持している。ガイド板7は、連接棒4の保持部位6より下の位置に取り付けられている。ガイド板7は、大きな牽引力が掛った場合にも亀頭3aが環から逸脱することがないような適切なサイズの環を保持しながら、亀頭3aのすぐ上で捕捉部品5の両端を一括して掴む役割をしている。ばね（図1には示されていない）は、保持部位6が取り付けられている上部棒部品10に対して上向きの力を発生させている。この力は捕捉部品5に伝達されて、結果的には陰茎への牽引力となる。」
　
 ３−２．対比 
　そこで、本願補正発明と引用発明とを対比すると、引用発明の「ペニスの持続的伸長のための装置」は、その機能又は構成からみて本願補正発明の「男性生殖器の形成不全を処置する装具」に相当し、以下同様に、「装置」は「装具」に、「ペニス固定部材（１；１４）」は「生殖器外部固定システム（１；１３）」及び「男性生殖器固定システム」に、「固定部材（５；６；７；８；１２）」は「内部保持システム（２；３；４；５；８）」及び「内部固定システム（２；３；４；５；８）」に、「ペニス伸長部材（８；１０；１２；１３）」は「組織伸展動力システム（５；６；７；８）」に、「締め付けエレメント（１８）」は「亀頭防御システム（１５）」に、「支持リング（１）」は「下部要素（１）」に、「受け皿（１４）」は「上部要素（１３）」に、「ジョイント（５）」は「円形要素（２）」及び「円形部品（２）」に、「管状部材（６；７；８；１２）」は「管状セット（３；４；５；７）」及び「管状セット（３；４；５；８）」に、「閉鎖アダプター（１２）」は「端部部品（８）」に、「ねじ込まれた」は「導入された」に、「前記管状部材（６；７；８；１２）に前記ペニス伸長部材（８；１０；１２；１３）が含まれており」は「前記管状セット（３；４；５；８）の内部に前記動力システム（５；６；７；８）が挿入されており」に、それぞれ相当する。 
　上記３−１．（１）ａ．の「段階的に長さ調節できる伸長支柱」との記載、及び上記３−１．（１）ｂ．の「伸長支柱2は、・・・・・ひとつもしくは複数の延長支柱9で構成される。」との記載からみて、引用発明の「閉鎖アダプター（１２）にねじ込まれた延長支柱（９）」は、本願補正発明の「端部部品（８）に伸縮可能に導入された第２要素（９；１０；１１；１２）」に相当している。
　また、引用発明における「ペニス固定部材の受け皿（１４）は、・・・・・該受け皿（１４）の後部側に端部が固定されている締め付けエレメント（１８）により補助され」ている点と、本願補正発明における「男性生殖器固定システムの上部要素（１３）は、・・・・・該上部要素（１３）の後部側に端部が固定されているシリコンリング（１４）により補助され」ている点とは、どちらも「男性生殖器固定システムの上部要素（１３）は、・・・・・該上部要素（１３）の後部側に端部が固定されている長尺物により補助され」ている点で共通する。
　
　してみると、本願補正発明と引用発明とは、本願補正発明の用語を用いて表現すると、次の点で一致する。 
（一致点） 
「男性生殖器の形成不全を処置する装具であって、該装具は、
　生殖器外部固定システム（１；１３）、
　内部保持システム（２；３；４；５；８）、
　組織伸展動力システム（５；６；７；８）、及び
　亀頭防御システム（１５）、
を有し、
　前記生殖器外部固定システムは、下部要素（１）及び上部要素（１３）を備え、
　該下部要素（１）には、二つの円形要素（２）が当該装具の両側に配置されており、
　該円形部品（２）のそれぞれは、管状セット（３；４；５；７）に取り付けられており、かつ、前記生殖器外部固定システム（１；１３）の前記内部固定システム（２；３；４；５；８）を形成しており、
　前記内部固定システム（２；３；４；５；８）は前記管状セット（３；４；５；８）の端部部品（８）に伸縮可能に導入された第２要素（９；１０；１１；１２）を有しており、かつ、
　前記管状セット（３；４；５；８）の内部に前記動力システム（５；６；７；８）が挿入されており、
　前記男性生殖器固定システムの上部要素（１３）は、前記亀頭が当該装具に配置されている位置に存在しており、該上部要素（１３）の後部側に端部が固定されている長尺物により補助され、
　前記亀頭防御システム（１５）は緩衝材よりなる装具。」 
　
　そして、両者は次の点で相違する（かっこ内は対応する引用例１の用語を示す。）。 
（相違点） 
　相違点１：本願補正発明では、下部要素の傾斜領域が男性生殖器に適合するように使用者の恥骨領域上に配置される傾斜基部を有しているのに対して、引用発明では、下部要素（支持リング）が、平らな平面になっている点。
　相違点２：本願補正発明では、シリコンリングに亀頭防御システムが配置されており、亀頭防御システムはスリーブ管状から構成され、シリコンリングはスリーブ管に沿って挿入され、上部要素がシリコンリングにより補助されているのに対して、引用発明では、上部要素（受け皿）が亀頭防御システム（締め付けエレメント）により補助されているものの、亀頭防御システム（締め付けエレメント）はスリーブ管状から構成されていない点。
　相違点３：本願補正発明では、亀頭防御システムはフレキシブル・フィンから構成される牽引要素を有しているのに対して、引用発明では、亀頭防御システム（締め付けエレメント）が、そのようになっていない点。 
　
３−３．相違点の判断 
　上記相違点について検討する。 
（１）相違点１について
　ペニスの伸長のための装置において、恥骨領域に配置される部分を体に沿った形状とすることは、例えば国際公開第９６／２６６９１号（ＦＩＧ．１，ＦＩＧ．６，ＦＩＧ．７など参照。）などに見られるように従来周知の技術である。
　しかも、引用発明も、ペニスの持続的伸長のための装置であり、下部要素（支持リング）が装置を利用者の体に支えるためのものであることから、装着時に違和感が生じないよう体にフィットする形状である必要があることを考慮すれば、引用発明において、下部要素（支持リング）を「傾斜領域が男性生殖器に適合するように使用者の恥骨領域上に配置される傾斜基部を有し」ているものとすることは、当業者が容易になし得ることである。
（２）相違点２について
　上記３−１．（２）ｄ．ｅ．に摘記したとおり、引用例２には、ホース形状の捕捉部品5の内側に、ポリエステルによる補強がなされていること、すなわち、線条部材による補強がなされていることが記載されている。引用例２に記載された「捕捉部品5」及び「ホース形状」は、本願補正発明の「亀頭防御システム」及び「スリーブ管状」にそれぞれ相当している。したがって、引用例２に記載された構成を、引用発明に適用し、亀頭防御システムをスリーブ管状に構成し、スリーブ管状の亀頭防御システムの内側に、線条部材による補強を施すことは、当業者が容易になし得ることであり、その際、線条部材として、公知材料の中からシリコンを選択することは当業者にとって設計的事項にすぎない。したがって、相違点２に係る本願補正発明の発明特定事項とすることは、当業者が容易に想到し得たことである。
（３）相違点３について
　上記３−１．（２）ｄ．に摘記したとおり、引用例２には、ホース形状の捕捉部品5について、柔軟性があり、かつ、陰茎が器具から抜け落ちることなしに強い牽引力を受けられるように表面の摩擦力を大きくすることが記載されている。そして、凹凸を設けて摩擦力を大きくすることは技術常識であり、凹凸の形状をフィン形状とすることは、当業者が適宜設計できることである。したがって、引用発明において、亀頭防御システムの表面の摩擦力を大きくするために、引用例２及び技術常識を適用し、相違点３に係る本願補正発明の発明特定事項とすることは、当業者が容易に想到し得たことである。
　
　そして、本願補正発明による効果も、引用発明、引用例２に記載された発明、及び周知技術から当業者が予測し得た程度のものであって格別のものとはいえない。 
 　 
　したがって、本願補正発明は、引用発明、引用例２に記載された発明、及び周知技術に基いて、当業者が容易に発明をすることができたものであるから、特許法第２９条第２項の規定により、特許出願の際独立して特許を受けることができない。 
 　 
３−４．むすび 
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
 　 
 III．本願発明 
　本件補正は上記のとおり却下されたので、本願の請求項１に係る発明（以下、同項記載の発明を、「本願発明」という。）は、平成１８年２月２１日付け手続補正により補正された特許請求の範囲の請求項１に記載された事項により特定される、以下のとおりのものである。 
 　 
「男性生殖器の形成不全を処置する装具であって、
　生殖器外部固定システム（１；１３）、
　内部保持システム（２；３；４；５；８）、
　組織伸展動力システム（５；６；７；８）、及び
　亀頭防御システム（１５）、
　を有し、
　前記生殖器外部固定システムは、下部要素（１）及び上部要素（１３）を備え、
　前記下部要素（１）は、該下部要素（１）の傾斜領域が前記男性生殖器に適合するように使用者の恥骨領域上に配置される傾斜基部を有し、
　該下部要素（１）には、二つの円形要素（２）が当該装具の両側に配置されており、
　該円形部品（２）のそれぞれは、管状セット（３；４；５；７）に取り付けられており、かつ、前記生殖器外部固定システム（１；１３）の前記内部固定システム（２；３；４；５；８）を形成しており、
　前記内部固定システム（２；３；４；５；８）は前記管状セット（３；４；５；８）の端部部品（８）に伸縮可能に導入された第２要素（９；１０；１１；１２）を有しており、かつ、
　前記管状セット（３；４；５；８）の内部に前記動力システム（５；６；７；８）が挿入されており、
　前記男性生殖器固定システムの上部要素（１３）は、前記亀頭が当該装具に配置されている位置に存在しており、該上部要素（１３）の後部側に端部が固定されているシリコンリング（１４）により補助され、
　前記シリコンリング（１４）に前記亀頭防御システム（１５）が配置されている、
　ことを特徴とする装具。」 
 　 
IV．引用例の記載事項 
　原査定の拒絶の理由に引用された引用例、及び、その記載事項は、前記II．３−１に記載したとおりである。 
 　 
Ｖ．対比・判断 
　本願発明は、前記II．１の本願補正発明から、「亀頭防御システム（１５）」についての限定事項である「亀頭防御システム（１５）は緩衝材及び牽引要素よりなり、該亀頭防御システム（１５）はスリーブ管状から構成され、前記シリコンリング（１４）は該スリーブ管に沿って挿入され、前記牽引要素はフレキシブル・フィンから構成される」との発明特定事項を省いたものである。 
　そうすると、本願発明の発明特定事項をすべて含み、さらに、他の発明特定事項を付加したものに相当する本願補正発明が、前記II．３−２、３−３に記載したとおり、引用発明、引用例２に記載された発明、及び周知技術に基づいて、当業者が容易に発明をすることができたものであるから、本願発明も、同様に、引用発明、引用例２に記載された発明、及び周知技術に基いて、当業者が容易に発明をすることができたものである。 
 　 
VI．むすび 
　以上のとおり、本願発明は、引用発明、引用例２に記載された発明、及び周知技術に基いて、当業者が容易に発明をすることができたものであるから、特許法第２９条第２項の規定により、特許を受けることができない。 
　よって、結論のとおり審決する。